(57)【特許請求の範囲】
【請求項１】
減算器と、該減算器の減算端子にその出力信号が供給されるように実質的に接続された回り込み信号の複製を発生する信号処理部とを少なくとも具えてなり、前記減算器の被減算端子には前記回り込み信号を含んでいる複数のチャンネルの受信ＯＦＤＭ信号を入力させるバンドパスフィルタを具えた中継放送機の受信変換部の出力端子が接続され、前記減算器の出力端子には複数のチャンネルのＯＦＤＭ信号を通過させるバンドパスフィルタを具えた中継放送機の送信変換部の入力端子が接続され、そして前記信号処理部の入力端子には、前記送信変換部の入力信号が分岐されて実質的に供給されるように構成され、前記信号処理部はトランスバーサルフィルタと該フィルタのフィルタ係数制御用のフィルタ係数生成回路とで構成されているＯＦＤＭ信号を用いたデジタル伝送の回り込みキャンセラにおいて、
前記減算器の被減算端子には複数のチャンネルのＯＦＤＭ信号が入力され、そして減算器の減算端子には、前記フィルタ係数生成回路で前記トランスバーサルフィルタのフィルタ係数を制御することによって生成された複数のチャンネルの回り込み信号の複製が入力されるように構成し、
前記フィルタ係数生成回路が、複数のチャンネルのうちの１チャンネルの信号から伝送路特性を推定する回路と、前記１チャンネルの信号の帯域幅を、前記複数のチャンネルの信号の帯域幅を含むように拡張する周波数帯域拡張回路とを有し、
前記フィルタ係数生成回路で生成された複数のチャンネルの信号の伝送路特性としてのフィルタ係数を用いて、回り込み信号を複製することにより、複数のチャンネルの中継を行う中継放送所で生じる複数のチャンネルの回り込みを１台の回り込みキャンセラで同時にキャンセルするようにしたことを特徴とする回り込みキャンセラ。
【請求項２】
請求項１記載の回り込みキャンセラにおいて、前記フィルタ係数生成回路は、
中継放送所で中継するチャンネルのうち、１つのチャンネル分だけの信号をバンドパスフィルタ処理して取り出し、周波数変換する周波数変換回路と、
該周波数変換回路の出力信号から前記トランスバーサルフィルタの出力信号である回り込み信号の複製と実際の回り込み信号との差分に相当する信号をキャンセルするためのフィルタ係数を算出する係数算出回路と、
該係数算出回路から出力されるフィルタ係数信号と遅延回路から出力されるフィルタ係数信号とから新たなフィルタ係数を生成して前記遅延回路と前記トランスバーサルフィルタへ出力する係数更新回路と、
該係数更新回路の出力信号であるフィルタ係数信号を一時記憶して、その信号を遅延させて該係数更新回路へ出力することで前記トランスバーサルフィルタに設定されているフィルタ係数と同じ係数を前記係数更新回路へ帰還する遅延回路とを少なくとも具え、前記フィルタ係数生成回路の出力を前記トランスバーサルフィルタに設定して該トランスバーサルフィルタに中継放送所で中継する複数のチャンネルの信号を入力するように構成し、それにより中継放送所で生じる複数のチャンネルの回り込みを１台の回り込みキャンセラでキャンセルするようにしたことを特徴とする回り込みキャンセラ。
【請求項３】
請求項１記載の回り込みキャンセラにおいて、前記フィルタ係数生成回路は、
中継放送所で中継する複数のチャンネルのうち、中継するチャンネル数以下の２つ以上のチャンネルについて、それぞれのチャンネル分だけの信号をバンドパスフィルタ処理して取り出し、周波数変換する複数の周波数変換回路と、
それら周波数変換回路の各出力信号から前記各チャンネルについて前記トランスバーサルフィルタの出力信号である回り込み信号の複製と実際の回り込み信号との差分に相当する信号をキャンセルするためのフィルタ係数をそれぞれ算出する複数の係数算出回路と、
それら係数算出回路の各出力信号が入力され、それら信号の平均化を行う平均化回路と、
該平均化回路から出力されるフィルタ係数信号と遅延回路から出力されるフィルタ係数信号とから新たなフィルタ係数を生成して前記遅延回路と前記トランスバーサルフィルタへ出力する係数更新回路と、
該係数更新回路の出力信号であるフィルタ係数信号を一時記憶して、その信号を遅延させて該係数更新回路へ出力することで前記トランスバーサルフィルタに設定されているフィルタ係数と同じ係数を前記係数更新回路へ帰還する遅延回路とを少なくとも具え、前記フィルタ係数生成回路の出力を前記トランスバーサルフィルタに設定して該トランスバーサルフィルタに中継放送所で中継する複数のチャンネルの信号を入力するように構成し、それにより中継放送所で生じる複数のチャンネルの回り込みを１台の回り込みキャンセラでキャンセルするようにしたことを特徴とする回り込みキャンセラ。
【請求項４】
請求項３記載の回り込みキャンセラにおいて、前記各チャンネル毎の係数算出回路に同期断検知回路が並列配置され、該同期断検知回路によって、前記係数算出回路に入力されたチャンネルの親局からの信号が停止または異常であると判定された場合に、親局からの信号が停止または異常であると判定されたチャンネルの信号が入力された前記係数算出回路の出力を除いて、残りの前記係数算出回路の出力でフィルタ係数の平均化を行うように構成したことを特徴とする回り込みキャンセラ。
【発明の詳細な説明】
【０００１】
【発明の属する技術分野】
本発明は、ＯＦＤＭ(Orthogonal Frequency Divsion Multiplexing) 信号からマルチパスや回り込み等の伝送路の特性を推定してそれらをキャンセルする回り込みキャンセラと、回り込みキャンセラを用いた放送波中継ＳＦＮ(Single Frequency Network ：単一周波数ネットワーク）のための中継放送機に係り、特に１台の中継放送機で複数のチャンネルの信号を中継することを可能とする回り込みキャンセラに関するものである。
【０００２】
【従来の技術】
これまでの地上デジタル放送用回り込みキャンセラとしては、本発明者らの発明に係る回り込みキャンセラの特許出願（特願平１０−１６２１８９号、特願平１１−１４７８８５号、特願平１１−１５６２３４号および特願平１１−２６６５６７号）がある。これらの回り込みキャンセラにおいては、特定の１チャンネルの信号について回り込みをキャンセルして放送波中継によるＳＦＮの実現を可能にする。また、本発明者らの発明に係る回り込みキャンセラ（特願平１１−１５３４３０号）によれば、回り込み伝送路特性の推定に用いたＯＦＤＭ信号帯域幅よりも広い周波数帯域に対して回り込みをキャンセルすることができる。
【０００３】
【発明が解決しようとする課題】
近い将来において実施される地上デジタル放送の導入時には、アナログ放送との混信妨害を考慮して、デジタル放送のチャンネルは、周波数が近接して配置されることが考えられる。
【０００４】
現在の中継放送機は１チャンネルに１台を必要とするため、複数のチャンネルの信号を中継する中継放送所には、中継するチャンネル分の中継放送機を設置する必要がある。そのため、中継放送所の局舎には中継放送機を設置するだけのスペースを確保しなくてはならない。
【０００５】
もし、１台の中継放送機で複数のチャンネルの信号を中継することができると、中継放送機の設置スペースを広くとる必要がなく、さらに、送信アンテナのアンテナ共用器が必要でないため、中継放送所の局舎を小さくすることができ、設備的に小型化が可能となる。
【０００６】
しかし、複数のチャンネルの放送波中継によるＳＦＮを１台の中継放送機で実現しようとすると、回り込みキャンセラについても複数のチャンネルの信号を中継することで生じる複数のチャンネルの回り込みを１台の回り込みキャンセラでキャンセルする必要がある。
【０００７】
そこで本発明の目的は、回り込みキャンセラを用いた放送波中継によるＳＦＮを構成する地上デジタル放送の中継放送所において、中継すべき複数のチャンネルの信号を１台の中継放送機で中継することを可能とする回り込みキャンセラを提供することにある。
【０００８】
【課題を解決するための手段】
上記目的を達成するために、本発明回り込みキャンセラは、減算器と、該減算器の減算端子にその出力信号が供給されるように実質的に接続された回り込み信号の複製を発生する信号処理部とを少なくとも具えてなり、前記減算器の被減算端子には前記回り込み信号を含んでいる複数のチャンネルの受信ＯＦＤＭ信号を入力させるバンドパスフィルタを具えた中継放送機の受信変換部の出力端子が接続され、前記減算器の出力端子には複数のチャンネルのＯＦＤＭ信号を通過させるバンドパスフィルタを具えた中継放送機の送信変換部の入力端子が接続され、そして前記信号処理部の入力端子には、前記送信変換部の入力信号が分岐されて実質的に供給されるように構成され、前記信号処理部はトランスバーサルフィルタと該フィルタのフィルタ係数制御用のフィルタ係数生成回路とで構成されているＯＦＤＭ信号を用いたデジタル伝送の回り込みキャンセラにおいて、前記減算器の被減算端子には複数のチャンネルのＯＦＤＭ信号が入力され、そして減算器の減算端子には、前記フィルタ係数生成回路で前記トランスバーサルフィルタのフィルタ係数を制御することによって生成された複数のチャンネルの回り込み信号の複製が入力されるように構成し、前記フィルタ係数生成回路が、複数のチャンネルのうちの１チャンネルの信号から伝送路特性を推定する回路と、前記１チャンネルの信号の帯域幅を、前記複数のチャンネルの信号の帯域幅を含むように拡張する周波数帯域拡張回路とを有し、前記フィルタ係数生成回路で生成された複数のチャンネルの信号の伝送路特性としてのフィルタ係数を用いて、回り込み信号を複製することにより、複数のチャンネルの中継を行う中継放送所で生じる複数のチャンネルの回り込みを１台の回り込みキャンセラで同時にキャンセルするようにしたことを特徴とする。
【０００９】
また、本発明回り込みキャンセラは、前記フィルタ係数生成回路が、中継放送所で中継するチャンネルのうち、１つのチャンネル分だけの信号をバンドパスフィルタ処理して取り出し、周波数変換する周波数変換回路と、該周波数変換回路の出力信号から前記トランスバーサルフィルタの出力信号である回り込み信号の複製と実際の回り込み信号との差分に相当する信号をキャンセルするためのフィルタ係数を算出する係数算出回路と、該係数算出回路から出力されるフィルタ係数信号と遅延回路から出力されるフィルタ係数信号とから新たなフィルタ係数を生成して前記遅延回路と前記トランスバーサルフィルタへ出力する係数更新回路と、該係数更新回路の出力信号であるフィルタ係数信号を一時記憶して、その信号を遅延させて該係数更新回路へ出力することで前記トランスバーサルフィルタに設定されているフィルタ係数と同じ係数を前記係数更新回路へ帰還する遅延回路とを少なくとも具え、前記フィルタ係数生成回路の出力を前記トランスバーサルフィルタに設定して該トランスバーサルフィルタに中継放送所で中継する複数のチャンネルの信号を入力するように構成し、それにより中継放送所で生じる複数のチャンネルの回り込みを１台の回り込みキャンセラでキャンセルするようにしたことを特徴とするものである。
【００１０】
また、本発明回り込みキャンセラは、前記フィルタ係数生成回路が、中継放送所で中継する複数のチャンネルのうち、中継するチャンネル数以下の２つ以上のチャンネルについて、それぞれのチャンネル分だけの信号をバンドパスフィルタ処理して取り出し、周波数変換する複数の周波数変換回路と、それら周波数変換回路の各出力信号から前記各チャンネルについて前記トランスバーサルフィルタの出力信号である回り込み信号の複製と実際の回り込み信号との差分に相当する信号をキャンセルするためのフィルタ係数をそれぞれ算出する複数の係数算出回路と、それら係数算出回路の各出力信号が入力され、それら信号の平均化を行う平均化回路と、該平均化回路から出力されるフィルタ係数信号と遅延回路から出力されるフィルタ係数信号とから新たなフィルタ係数を生成して前記遅延回路と前記トランスバーサルフィルタへ出力する係数更新回路と、該係数更新回路の出力信号であるフィルタ係数信号を一時記憶して、その信号を遅延させて該係数更新回路へ出力することで前記トランスバーサルフィルタに設定されているフィルタ係数と同じ係数を前記係数更新回路へ帰還する遅延回路とを少なくとも具え、前記フィルタ係数生成回路の出力を前記トランスバーサルフィルタに設定して該トランスバーサルフィルタに中継放送所で中継する複数のチャンネルの信号を入力するように構成し、それにより中継放送所で生じる複数のチャンネルの回り込みを１台の回り込みキャンセラでキャンセルするようにしたことを特徴とするものである。
【００１１】
また、本発明回り込みキャンセラは、前記各チャンネル毎の係数算出回路に同期断検知回路が並列配置され、該同期断検知回路によって、前記係数算出回路に入力されたチャンネルの親局からの信号が停止または異常であると判定された場合に、親局からの信号が停止または異常であると判定されたチャンネルの信号が入力された前記係数算出回路の出力を除いて、残りの前記係数算出回路の出力でフィルタ係数の平均化を行うように構成したことを特徴とするものである。
【００１２】
【発明の実施の形態】
以下に添付図面を参照し、発明の実施の形態に基づいて本発明を詳細に説明する。
なお、以下の説明における信号や伝達関数の表示については、大文字が複素数、小文字が実数をそれぞれ表すものとする。また、ωは角周波数、ｔは時間をそれぞれ表すものとする。
図１は、本発明回り込みキャンセラを使用して中継放送所の送受アンテナ間での回り込みをキャンセルする方法の原理的構成をブロック図にて示している。
【００１３】
図１において、１は中継放送機、２は受信変換部、３は本発明回り込みキャンセラ、４はフィルタ係数生成回路、５はＦＩＲ(Finite Impulse Response) フィルタ、６は減算器および７は送信変換部である。
なお、本実施例においては、回り込み信号の複製を生成するトランスバーサルフィルタとして、ＦＩＲフィルタを用いている。
【００１４】
以下に、まず、本発明回り込みキャンセラの上位概念である、回り込みキャンセラによる回り込みキャンセルの原理を図１を用いて説明する。
図１中のＸ（ω）は親局からの希望波のフーリエ変換、Ｒ（ω）は受信変換部２の入力信号のフーリエ変換、Ｓ（ω）は送信変換部７の入力信号のフーリエ変換、Ｇ１（ω）は受信変換部２の伝達関数、Ｇ２（ω）は送信変換部７の伝達関数、Ｃ（ω）は回り込み伝送路特性を示す伝達関数、Ｃ′（ω）は回り込みキャンセラのＦＩＲフィルタ５の伝達関数、Ｗ（ｔ）はＦＩＲフィルタ５のフィルタ係数である。
このような構成において、親局からの希望波Ｘ（ω）は、(1) 式に示すように、図示の受信アンテナで回り込み信号Ｃ（ω）Ｇ２（ω）Ｓ（ω）との合成波として受信され、受信信号Ｒ（ω）として中継放送機１の受信変換部２に入力される。
Ｒ（ω）＝Ｘ（ω）＋Ｃ（ω）Ｇ２（ω）Ｓ（ω）          (1)
【００１５】
受信変換部２においては、受信信号Ｒ（ω）に対してフィルタ処理や周波数変換処理などが行われ、Ｇ１（ω）Ｒ（ω）として回り込みキャンセラ３へ出力される。ここで、回り込み信号の成分は、受信変換部１の伝達関数Ｇ１（ω）が掛け合わされＧ１（ω）Ｃ（ω）Ｇ２（ω）Ｓ（ω）となっている。
【００１６】
回り込みキャンセラ３は、フィルタ係数生成回路４で送信変換部７の入力信号である回り込み観測信号Ｓ（ω）から回り込み伝送路特性を推定し、推定した回り込み伝送路特性をフィルタ係数Ｗ（ｔ）としてＦＩＲフィルタ５に与える。ここで、フィルタ係数Ｗ（ｔ）をフーリエ変換してＦＩＲフィルタ５の伝達関数に置き換えた結果をＣ′（ω）とすると、フィルタ係数生成回路４は、(2) 式を満たすようにフィルタ係数Ｗ（ｔ）を生成する。
Ｃ′（ω）＝Ｇ１（ω）Ｃ（ω）Ｇ２（ω）              (2)
ＦＩＲフィルタ５は、フィルタ係数Ｗ（ｔ）で表される回り込み伝送路特性の複製Ｃ′（ω）を回り込み観測信号Ｓ（ω）に乗ずることで、回り込み信号の複製信号Ｃ′（ω）Ｓ（ω）を作り出し、これを減算器６に送る。減算器６においては、受信変換部１の出力信号Ｇ１（ω）Ｒ（ω）から回り込み信号の複製信号Ｃ′（ω）Ｓ（ω）が減算され、減算器６の出力は(3) 式に示すように、親局からの希望波だけとなる。
Ｇ１（ω）Ｒ（ω）−Ｃ′（ω）Ｓ（ω）＝Ｇ１（ω）Ｘ（ω）  (3)
【００１７】
以上、図１に基づいて説明した回り込みキャンセラの原理は、既に発表され、公知のものであるが、本発明による回り込みキャンセラと、それ（本発明回り込みキャンセラ）を用いて構成した回り込みキャンセル系とは上位概念において同じ原理に基づいており、本発明を理解するためには、まず、上記についての理解が必要であるから説明したものである。
なお、フィルタ係数生成回路４の動作原理などについては、本発明者らの発明に係る回り込みキャンセラ（特願平１０−１６２１８９号、特願平１１−１４７８８５号、特願平１１−１５６２３４号、特願平１１−１５３４３０号および特願平１１−２６６５６７号）の出願明細書の記載を参照されたい。
【００１８】
また、図１に基づいて説明した回り込みキャンセラは、受信変換部２で周波数変換を行った後の信号において回り込みをキャンセルしているが、本発明者らの発明に係る回り込みキャンセラは、受信変換部２で周波数変換を行う前の信号において回り込みをキャンセルするなど、等価ベースバンド信号を含むいずれの周波数の信号において回り込みをキャンセルしても、上位概念において同じ原理に基づいており、これらの変形は容易に構成できる。また、図１には示していないが、回り込みキャンセラにおいて使用しているデジタル信号処理のためのＡＤ(Analog to Digital) 変換器ならびにＤＡ(Digital to Analog) 変換器の挿入位置は、回り込みキャンセラの原理とは無関係であり、本発明者らの発明に係る回り込みキャンセラは、ＡＤ変換器ならびにＤＡ変換器の挿入位置に関わらず同じ原理を適応することができる。
【００１９】
また、地上デジタル放送方式（ＩＳＤＢ−Ｔ：Integrated Services DigitalBroadcasting-Terrestrial) については、三木信之、黒田徹、堀江力、広瀬慎介、福原黎児、小室憲司、「地上ディジタルテレビジョン放送実証実験用放送設備」、映像情報メディア学会，Ｖｏｌ．５３，No. ２，ｐｐ．１８７−１９３，１９９９、または「特集  地上デジタル放送方式の研究」、ＮＨＫ技術Ｒ＆Ｄ，No. ５６，Ｍａｙ，１９９９などを参照されたい。
【００２０】
図２は、図１中のフィルタ係数生成回路４の一構成例をブロック図にて示している。
図２において、８は周波数変換回路、９は係数算出回路、１０は係数更新回路および１１は遅延回路である。
【００２１】
動作につき説明する。
周波数変換回路８は、入力された回り込み観測信号Ｓ（ω）から、回り込み伝送路特性の伝達関数の推定に用いる１チャンネル分だけの信号をバンドパスフィルタ処理して取り出し、さらに、次段の係数算出回路９で信号処理しやすい周波数に周波数変換処理するなどして、係数算出回路９へ出力する。
【００２２】
係数算出回路９は、周波数変換回路８から入力された１チャンネル分だけの回り込み観測信号から、図１中のＦＩＲフィルタ５の出力である回り込み信号の複製Ｃ′（ω）Ｓ（ω）と実際の回り込み信号Ｇ１（ω）Ｒ（ω）との差分に相当する信号を算出し、その差分に相当する信号をキャンセルするためのフィルタ係数の更新分Ｉ（ｔ）として係数更新回路１０へ出力する。
【００２３】
係数更新回路１０は、係数算出回路９の出力Ｉ（ｔ）と遅延回路１１の出力とから新たなフィルタ係数Ｗ（ｔ）を生成し、そのフィルタ係数Ｗ（ｔ）をＦＩＲフィルタ５ならびに遅延回路１１へ出力する。係数更新回路１０の出力のフィルタ係数Ｗ（ｔ）を(4) 式で定義する。
Ｗ（ｔ）＝Ｗ′（ｔ）＋μＩ（ｔ＋ｔ０）            (4)
ここで、μは更新係数であり、通常０＜μ≦１の値をとる。また、ｔ０はＦＩＲフィルタ５のフィードバック遅延を考慮したオフセット値である。
【００２４】
また、遅延回路１１は、係数更新回路１０の出力Ｗ（ｔ）を一時記憶し、係数更新回路１０による係数更新の１回分の遅延処理を行った係数Ｗ′（ｔ）を、係数算出回路９の出力Ｉ（ｔ）と(4) 式の演算をするべく係数更新回路１０へ出力する。
【００２５】
図３は、図２中の係数算出回路９の一構成例をブロック図にて示している。
図３において、１２はモード判定回路、１３はＦＦＴ回路、１４はＴＭＣＣ復号回路、１５は周波数特性算出回路、１６は主波成分抽出回路、１７はキャンセル残差演算回路、１８はＩＦＦＴ回路および１９は周波数帯域拡張回路である。
【００２６】
動作につき説明する。
係数算出回路９に入力された周波数変換回路８（図２参照）からの１チャンネル分の回り込み観測信号を、モード判定回路１２およびＦＦＴ回路１３へ入力する。
モード判定回路１２は、周波数変換回路８の出力信号から、ＩＳＤＢ−Ｔ方式におけるモードやガードインターバル比などを判定して、それらの情報をモード情報としてＦＦＴ回路１３ならびに周波数特性算出回路１５へ出力する。
【００２７】
ＦＦＴ回路１３は、モード判定回路１２の出力であるモード情報を用いて周波数変換回路８（図２参照）の出力信号の有効シンボル期間を抽出して複素ＦＦＴ（高速フーリエ変換）を行ってキャリアデータに変換し、そのキャリアデータをＴＭＣＣ復号回路１４ならびに周波数特性算出回路１５へ出力する。
【００２８】
ＴＭＣＣ復号回路１４は、ＦＦＴ回路１３の出力である各キャリアデータからＴＭＣＣに割り当てられたキャリアを抽出し、さらにＴＭＣＣ情報を復号し、各ＯＦＤＭセグメントのキャリア変調方式、ＯＦＤＭフレーム同期ならびにＯＦＤＭシンボル番号などの情報を周波数特性算出回路１５へ出力する。
【００２９】
周波数特性算出回路１５は、モード判定回路１２の出力ならびにＴＭＣＣ復号回路１４の出力を用いてＦＦＴ回路１３の出力である各キャリアデータの変調パラメータを判定し、各キャリアの変調方式毎に算出した系全体の総合伝達関数に相当する周波数特性Ｆ（ω）を、主波成分抽出回路１６およびキャンセル残差演算回路１７へ出力する。
【００３０】
主波成分抽出回路１６は、周波数特性算出回路１５で得られた系全体の総合伝達関数に相当する周波数特性Ｆ（ω）から希望波の成分である主波成分Ｄを算出して、キャンセル残差演算回路１７へ出力する。
【００３１】
キャンセル残差演算回路１７は、周波数特性算出回路１５で得られた系全体の総合伝達関数に相当する周波数特性Ｆ（ω）と主波成分抽出回路１６から出力された主波成分Ｄを用いて、実際の回り込み伝送路特性を示す伝達関数Ｃ（ω）Ｇ１（ω）Ｇ２（ω）とＦＩＲフィルタ５の伝達関数Ｃ′（ω）との差分の伝達関数Ｅ（ω）を算出する。ここで、伝達関数Ｅ（ω）は(5) 式で求められる。
Ｅ（ω）＝１−（Ｄ／Ｆ（ω））                      (5)
【００３２】
ＩＦＦＴ回路１８は、伝達関数Ｅ（ω）を複素ＩＦＦＴ（逆高速フーリエ変換）してインパルス応答データに変換して、そのインパルス応答データからＦＩＲフィルタ５（図１参照）でフィルタ係数として使用する部分のデータを抽出したＨ（ｔ）を周波帯域拡張回路１９へ出力する。ここで、Ｈ（ｔ）の持つ周波数特性の有効な帯域幅は、伝達関数Ｆ（ω）の有効な帯域幅、すなわち、係数算出回路９へ入力された１チャンネル分だけの回り込み観測信号の信号帯域幅に等しい。
【００３３】
最後に、周波数帯域拡張回路１９は、上記データＨ（ｔ）のもつ周波数特性の帯域幅を、中継放送機で中継する複数のチャンネルの信号を含む帯域幅よりも広く拡張する処理を行い、データＨ（ｔ）の周波数帯域幅を拡張したフィルタ係数の更新分Ｉ（ｔ）を係数更新回路１０（図２参照）へ出力する。周波数帯域拡張回路１９の動作については、本発明者らの発明に係る回り込みキャンセラ（特願平１１−１５３４３０号）の出願明細書の記載を参照されたい。
【００３４】
図４は、図１中のフィルタ係数生成回路４の他の構成例をブロック図にて示している。
図４において、２０，２１および２２は周波数変換回路、２３，２４および２５は係数算出回路、２６，２７および２８は同期断検知回路、２９は平均化回路、３０は係数更新回路、そして３１は遅延回路である。
図４は、３つのチャンネルの信号を用いて回り込み伝送路特性を推定してＦＩＲフィルタ５（図１参照）のフィルタ係数を生成することで、３つ以上のチャンネルの回り込みを１台の回り込みキャンセラでキャンセルするためのフィルタ係数生成回路４の一構成例である。
【００３５】
動作につき説明する。
周波数変換回路２０は、入力された回り込み観測信号Ｓ（ω）から、回り込みの伝達関数の推定に用いる１チャンネル分だけの信号をバンドパスフィルタ処理して取り出し、さらに、次段の係数算出回路２３で信号処理しやすい周波数に周波数変換処理するなどして、係数算出回路２３および同期断検知回路２６へ出力する。
【００３６】
係数算出回路２３は、入力された１チャンネル分だけの回り込み観測信号から図１中のＦＩＲフィルタ５の出力である回り込み信号の複製と実際の回り込み信号との差分の伝達関数を算出し、その差分をキャンセルするためのフィルタ係数Ｉ１（ｔ）を平均化回路２９へ出力する。
【００３７】
同期断検知回路２６は、入力された１チャンネル分だけの回り込み観測信号からＯＦＤＭ信号におけるフレーム同期やシンボル同期などの同期情報を検出する。いま、この同期情報の一部または全てが検出されなかった場合に、このチャンネルにおける親局からの信号が停止または異常であると判定し、ＯＦＤＭ信号における同期情報が検知されている場合は“１”を、同期情報が検知されていない場合には“０”をそれぞれｓｙｎｃ１として平均化回路２９へ出力する。
【００３８】
なお、符号２１，２４および２７で示され、また、復号２２，２５および２８で示されるそれぞれ周波数変換回路、係数算出回路および同期断検知回路は、上述の符号２０，２３および２６で示される各回路にそれぞれ対応し、ともに別の１チャンネル分だけの信号に対し、全く同じ処理を行うものであるから、その説明を省略する。
【００３９】
以上説明したことから、平均化回路には、各チャンネル毎のフィルタ係数の更新分Ｉ１（ｔ），Ｉ２（ｔ）およびＩ３（ｔ）と、各チャンネル毎の同期情報の検知を示すｓｙｎｃ１，ｓｙｎｃ２およびｓｙｎｃ３がそれぞれ入力されることになる。
【００４０】
平均化回路２９は、各係数算出回路２３，２４，２５の出力であるフィルタ係数Ｉ１（ｔ），Ｉ２（ｔ），Ｉ３（ｔ）をｔ毎に平均化して、平均化した値Ｉ′（ｔ）を得、係数更新回路３０へ出力する。ただし、各同期断検知回路２６，２７，２８の出力ｓｙｎｃ１，ｓｙｎｃ２，ｓｙｎｃ３のいずれかに同期断の情報がある（すなわち、“０”が入力される）場合には、平均化回路２９は、その同期断情報に関係する係数算出回路の出力を除いてフィルタ係数の平均化を行う。また、平均化回路２９は、当該回路に入力された各同期断検知回路２６，２７，２８の出力がすべて“０”、すなわち、回り込みの伝達関数の推定に用いる全てのチャンネルについて親局からの信号が停止または異常であると判定された場合には、平均化回路２９から信号が出力されないように構成されている。
【００４１】
係数更新回路３０が、平均化回路２９から平均化したフィルタ係数Ｉ′（ｔ）を受けて、そのフィルタ係数Ｉ′（ｔ）と遅延回路３１の出力Ｗ′（ｔ）との和を算出して新たなフィルタ係数Ｗ（ｔ）を生成する部分は、図２に示されるフィルタ係数生成回路において、符号１０および１１でそれぞれ示される係数更新回路および遅延回路によって構成される回路部分と同一であるので、これ以上の説明を省略する。
【００４２】
図４に示した構成のフィルタ係数生成回路をもつ回り込みキャンセラにおいては、回り込み伝送路特性の推定に用いる各チャンネル毎に係数算出回路を有し、各係数算出回路毎に独立してフィルタ係数の算出を行うため、回り込み伝送路特性の推定に用いる各チャンネルの信号は、チャンネル毎に同期している必要はない。また、周波数帯域拡張回路により、推定に用いるチャンネル数よりも多くのチャンネルについて回り込みをキャンセルすることができる。さらに、各チャンネルの信号を１つの増幅器で信号増幅できるため、別々に増幅した複数のチャンネルの信号を１つの送信アンテナで送信するためのアンテナ共用機を必要とせず、中継放送システムの設備規模を小さくすることが可能となる。
【００４３】
【発明の効果】
本発明によれば、複数のチャンネルのＯＦＤＭ信号を中継する中継放送所で生じる複数のチャンネルの回り込みを１台の回り込みキャンセラでキャンセルすることができ、従って、１台の中継放送機で複数のチャンネルのＯＦＤＭ信号を放送波中継することが可能となる。
【図面の簡単な説明】
【図１】  本発明回り込みキャンセラを使用して中継放送所の送受アンテナ間での回り込みをキャンセルする方法の原理的構成をブロック図にて示している。
【図２】  図１中のフィルタ係数生成回路の一構成例をブロック図にて示している。
【図３】  図２中の係数算出回路の一構成例をブロック図にて示している。
【図４】  図１中のフィルタ係数生成回路の他の構成例をブロック図にて示している。
【符号の説明】
１  中継放送機
２  受信変換部
３  回り込みキャンセラ
４  フィルタ係数生成回路
５  ＦＩＲフィルタ
６  減算器
７  送信変換部
８，２０，２１，２２  周波数変換回路
９，２３，２４，２５  係数算出回路
１０，３０  係数更新回路
１１，３１  遅延回路
１２  モード判定回路
１３  ＦＦＴ回路
１４  ＴＭＣＣ復号回路
１５  周波数特性算出回路
１６  主波成分抽出回路
１７  キャンセル残差演算回路
１８  ＩＦＦＴ回路
１９  周波数帯域拡張回路
２６，２７，２８  同期断検知回路
２９  平均化回路
【図１】
0003942781.tif 000002
【図２】
0003942781.tif 000003
【図３】
0003942781.tif 000004
【図４】
0003942781.tif 000005